(57)【要約】【課題】データ入力をより迅速に行うことが出来る入力システム、入力装置、情報処理装置、入力方法、プログラム及び記録媒体を提供する。【解決手段】情報処理装置と入力装置とが接続され、前記入力装置は、データ入力部から入力された入力データを記憶する記憶手段と、前記情報処理装置の起動完了後に、前記記憶した入力データを前記情報処理装置に送信する送信手段と、を備え、前記情報処理装置は、前記入力装置から受信した入力データに基づいてアプリケーションを選択する選択手段と、前記選択されたアプリケーションを起動し、前記受信した入力データを前記起動したアプリケーションに入力するよう制御する制御手段と、を備えることを特徴とする。【選択図】図１
2010237938.tif 000002
【特許請求の範囲】
【請求項１】
情報処理装置と入力装置とが接続され、
前記入力装置は、
データ入力部から入力された入力データを記憶する記憶手段と、
前記情報処理装置の起動完了後に、前記記憶した入力データを前記情報処理装置に送信する送信手段と、を備え、
前記情報処理装置は、
前記入力装置から受信した入力データに基づいてアプリケーションを選択する選択手段と、
前記選択されたアプリケーションを起動し、前記受信した入力データを前記起動したアプリケーションに入力するよう制御する制御手段と、を備えることを特徴とする入力システム。
【請求項２】
前記情報処理装置が備える制御手段は、前記起動したアプリケーションに前記受信した入力データを入力したことを確認した場合は、入力確認の旨を前記入力装置に通知し、
前記入力装置は、
前記情報処理装置から前記入力確認の旨の通知を受信した場合は、前記データ入力部から入力された入力データを、前記記憶手段による記憶ではなく、前記送信手段による前記情報処理装置への送信に切り替える出力先切替手段を備えることを特徴とする請求項１記載の入力システム。
【請求項３】
前記情報処理装置が備える前記選択手段は、前記受信した入力データの内容を解析し、予め定めたキーワードが含まれている場合は、前記キーワードに対応したアプリケーションを選択することを特徴とする請求項１又は２記載の入力システム。
【請求項４】
前記情報処理装置が備える前記選択手段は、前記受信した入力データが画像データである場合は、画像データを扱うアプリケーションを選択することを特徴とする請求項１又は２記載の入力システム。
【請求項５】
前記情報処理装置が備える前記選択手段は、前記受信した入力データが画像データの場合は、前記画像データを解析して文字データを抽出し、予め定めたキーワードが含まれている場合は、前記キーワードに対応したアプリケーションを選択し、文字データが抽出出来なかった場合は、画像データを扱うアプリケーションを選択することを特徴とする請求項１又は２記載の入力システム。
【請求項６】
前記入力装置は、前記入力装置の起動を開始する第１の起動手段と、
前記起動が開始された場合は、前記情報処理装置へ情報処理装置起動開始指示を行う起動指示手段と、を備え、
前記情報処理装置は、
前記情報処理装置起動開始指示を受けた場合に、前記情報処理装置の起動を開始する第２の起動手段と、
前記情報処理装置の起動が完了した場合は、情報処理装置起動完了の旨を通知する通知手段と、を備え、
前記入力装置が備える送信手段は、前記情報処理装置起動完了の旨の通知を受けた場合に、前記記憶した入力データを前記情報処理装置に送信することを特徴とする請求項１から５のいずれか１項記載の入力システム。
【請求項７】
情報処理装置と入力装置とが接続された入力システムの前記入力装置であって、
データ入力部から入力された入力データを記憶する記憶手段と、
前記情報処理装置の起動完了後に、前記記憶した入力データを前記情報処理装置に送信する送信手段と、
を備えることを特徴とする入力装置。
【請求項８】
情報処理装置と入力装置とが接続された入力システムの前記情報処理装置であって、
前記入力装置から受信した入力データに基づいてアプリケーションを選択する選択手段と、
前記選択されたアプリケーションを起動し、前記受信した入力データを前記起動したアプリケーションに入力するよう制御する制御手段と、
を備えることを特徴とする情報処理装置。
【請求項９】
情報処理装置と入力装置とが接続された入力システムの入力方法であって、
前記入力装置が、データ入力部から入力された入力データを記憶するステップと、
前記入力装置が、前記情報処理装置の起動完了後に、前記記憶した入力データを前記情報処理装置に送信するステップと、
前記情報処理装置が、前記入力装置から受信した入力データに基づいてアプリケーションを選択するステップと、
前記情報処理装置が、前記選択されたアプリケーションを起動し、前記受信した入力データを前記起動したアプリケーションに入力するよう制御するステップと、
を備えることを特徴とする入力方法。
【請求項１０】
情報処理装置と入力装置とが接続された入力システムの入力プログラムであって、
前記入力装置が、データ入力部から入力された入力データを記憶する処理と、
前記入力装置が、前記情報処理装置の起動完了後に、前記記憶した入力データを前記情報処理装置に送信する処理と、
前記情報処理装置が、前記入力装置から受信した入力データに基づいてアプリケーションを選択する処理と、
前記情報処理装置が、前記選択されたアプリケーションを起動し、前記受信した入力データを前記起動したアプリケーションに入力するよう制御する処理と、
をコンピュータに実行させることを特徴とする入力プログラム。
【請求項１１】
請求項１０記載の入力プログラムの処理を記録するコンピュータ読取り可能な記録媒体。
【発明の詳細な説明】
【技術分野】
【０００１】
本発明は、入力システム、入力装置、情報処理装置、入力方法、プログラム及び記録媒体に関し、特にデータ入力をより迅速に行うことが出来る入力システム、入力装置、情報処理装置、入力方法、プログラム及び記録媒体に関する。
【背景技術】
【０００２】
パーソナルコンピュータ（ＰＣ）等の情報処理装置にデータを入力する装置としては、キーボードやマウスを用いることが一般的である。近年はタブレットを用いて手書き入力を行うことも可能である。タブレットは、ポインティング・デバイスの一つで、位置を指示する専用のペンと指示した位置を検出する装置を組み合わせたものである。手書き文字や図形などを描いて入力することが出来る。手書き文字等の入力方法としては、タブレットの他、手書き文字や図形を描いた紙媒体をスキャナで読み込んで入力することも可能である。
【０００３】
以上のように、入力装置は様々提案されているが、外出先等で突然データを取り込みたい場面に遭遇した場合、例えばビジネスシーン等で突然、手書き文字や、画像データを取り込みたい場面に遭遇した場合に、ノートＰＣやタブレット等を携帯していないと、迅速に対応することができない。そこで、現在大多数の人が所持している携帯電話にスキャナ機能を実装させることにより、ビジネスシーン等で突然データを取り込みたい場面に遭遇した場合でも迅速に対応することができる携帯電話のスキャナシステムが提案されている（特許文献１参照）。特許文献１記載の携帯電話は、取り込んだデータを携帯電話内のメモリに保存し、ＰＣへの送信が指示された場合に通信回線を介してＰＣへ送信する。これにより、ＰＣを持ち合わせていない場面であっても画像データや文字データの入力が迅速にでき、任意のタイミングでＰＣへ入力データの送信を行うことが出来る。
【先行技術文献】
【特許文献】
【０００４】
【特許文献１】特開２００４−１７９９９４号公報
【発明の概要】
【発明が解決しようとする課題】
【０００５】
しかしながら、上記のような技術には、以下の問題点がある。
【０００６】
上述した特許文献１記載の携帯電話は、緊急の場合に携帯電話のみを所持していた場合に利用されるが、携帯電話のメモリはＰＣと比較すると格段に容量が小さく、ＰＣへの送信指示を頻繁に行う必要がある。
【０００７】
また、外出先に限らず、ＰＣを所持している場合に突然、手書き文字や、画像データを取り込みたい場面に遭遇することは多々ある。しかしながら、ＰＣのＯＳ（Operating System）の起動は遅く、ＰＣで迅速にメモを取りたい場合でも、その起動を待っている間にメモしたい内容を忘れてしまうことがあった。さらに、ＯＳが起動しＰＣが動作しても、さらにメモ書きを行うためのアプリケーションを立ち上げなくてはならず、待機時間はユーザにとってストレスとなっていた。
【０００８】
本発明はこのような状況に鑑みてなされたものであり、データ入力をより迅速に行うことを目的とする。
【課題を解決するための手段】
【０００９】
本発明に係る入力システムは、情報処理装置と入力装置とが接続され、前記入力装置は、データ入力部から入力された入力データを記憶する記憶手段と、前記情報処理装置の起動完了後に、前記記憶した入力データを前記情報処理装置に送信する送信手段と、を備え、前記情報処理装置は、前記入力装置から受信した入力データに基づいてアプリケーションを選択する選択手段と、前記選択されたアプリケーションを起動し、前記受信した入力データを前記起動したアプリケーションに入力するよう制御する制御手段と、を備えることを特徴とする。
【００１０】
本発明に係る入力装置は、情報処理装置と入力装置とが接続された入力システムの前記入力装置であって、データ入力部から入力された入力データを記憶する記憶手段と、前記情報処理装置の起動完了後に、前記記憶した入力データを前記情報処理装置に送信する送信手段と、を備えることを特徴とする。
【００１１】
本発明に係る情報処理装置は、情報処理装置と入力装置とが接続された入力システムの前記情報処理装置であって、前記入力装置から受信した入力データに基づいてアプリケーションを選択する選択手段と、前記選択されたアプリケーションを起動し、前記受信した入力データを前記起動したアプリケーションに入力するよう制御する制御手段と、を備えることを特徴とする。
【００１２】
本発明に係る入力方法は、情報処理装置と入力装置とが接続された入力システムの入力方法であって、前記入力装置が、データ入力部から入力された入力データを記憶するステップと、前記入力装置が、前記情報処理装置の起動完了後に、前記記憶した入力データを前記情報処理装置に送信するステップと、前記情報処理装置が、前記入力装置から受信した入力データに基づいてアプリケーションを選択するステップと、前記情報処理装置が、前記選択されたアプリケーションを起動し、前記受信した入力データを前記起動したアプリケーションに入力するよう制御するステップと、を備えることを特徴とする。
【００１３】
本発明に係る入力プログラムは、情報処理装置と入力装置とが接続された入力システムの入力プログラムであって、前記入力装置が、データ入力部から入力された入力データを記憶する処理と、前記入力装置が、前記情報処理装置の起動完了後に、前記記憶した入力データを前記情報処理装置に送信する処理と、前記情報処理装置が、前記入力装置から受信した入力データに基づいてアプリケーションを選択する処理と、前記情報処理装置が、前記選択されたアプリケーションを起動し、前記受信した入力データを前記起動したアプリケーションに入力するよう制御する処理と、をコンピュータに実行させることを特徴とする。
【００１４】
本発明に係る記録媒体は、上記本発明に係る入力プログラムの処理を記録するコンピュータ読取り可能な記録媒体である。
【発明の効果】
【００１５】
本発明によれば、データ入力をより迅速に行うことが出来る。
【図面の簡単な説明】
【００１６】
【図１】本発明の実施形態に係る入力システムの機能構成図である。
【図２】本発明の実施形態に係る入力システムの動作処理を示すタイムチャートである。
【図３】本発明の実施形態に係る入力装置２でのデータ入力の詳細を説明するための図である。
【図４】本発明の実施形態に係る入力装置２のハードウェア構成を示す図である。
【図５】本発明の実施形態に係る情報処理装置１のハードウェア構成を示す図である。
【発明を実施するための形態】
【００１７】
以下に、本発明の実施形態について図面を用いて詳細に説明する。なお、以下に述べる実施形態は、本発明の好適な実施形態であるから、技術的に好ましい種々の限定が付されているが、本発明の範囲は、以下の説明において特に本発明を限定する旨の記載がない限り、これらの態様に限られるものではない。
【００１８】
（構成）
図１は、本発明の実施形態に係る入力システムの機能構成図である。情報処理装置１に入力装置２が接続されている。
【００１９】
図１に示すように、情報処理装置１は、情報処理装置起動部１１、情報処理装置起動完了確認部１２、データ解析部１３、アプリケーション起動部１４、アプリケーション起動完了確認部１５、情報処理装置起動完了前入力データ確認部１６、から構成される。
【００２０】
図１に示すように、入力装置２は、入力装置起動部２１、情報処理装置起動指示部２２、データ入力部２３、入力データ出力先切替部２４、入力データ記憶部２５、から構成される。
【００２１】
まず、入力装置２の機能構成について詳述する。入力装置起動部２１は、入力装置２を起動させる機能を有する。例えば電源ボタンの押下をトリガとして入力装置２の起動が開始される。
【００２２】
なお入力装置２を省電力モード等の、ユーザがデータ入力を開始したことを検知出来る程度の状態（データ入力部２３で検知可能状態）にしておくことで、電源ボタンの押下等によらず、ユーザが直接データ入力を開始したことをトリガとして起動を開始しても良い。
【００２３】
また、電源ボタンを入力装置１と情報処理装置２とで共有することも可能である。この場合、情報処理装置起動指示部２２は不要な構成となり、情報処理装置起動部１１及び入力装置起動部２１は、共有電源ボタン押下を検知した場合に各自起動を開始する。
【００２４】
情報処理装置起動指示部２２は、情報処理装置１に対し、情報処置装置１の起動を開始するよう通知する。
【００２５】
具体的には、情報処理装置起動指示部２２は、入力装置起動部２１により入力装置２の起動が開始されたことを検知した場合に、情報処理装置１に起動開始の指示を行う。情報処理装置１側では、このように入力装置２が備える情報処理装置起動指示部２２からの指示をトリガとして起動が開始される。
【００２６】
データ入力部２３は、ユーザの操作に基づきデータ入力がなされる。例えばキーボードであれば文字データの入力が可能であり、タブレットであれば画像データの入力が可能である。
【００２７】
入力データ出力先切替部２４は、データ入力部２３から入力されたデータを、入力データ記憶部２５、若しくは情報処理装置１のいずれに出力するかを決定し、出力先を切り替える。
【００２８】
具体的には、情報処理装置１から、情報処理装置起動完了前（起動中）入力データ確認の旨の通知を受けるまでは、出力先を入力データ記憶部２５とし、通知を受けた後は、出力先を情報処理装置１に切り替える。
【００２９】
入力データ記憶部２５は、入力されたデータを記憶する。
【００３０】
次に、情報処理装置１の機能構成について詳述する。情報処理装置起動部１１は、入力装置２が備える情報処理装置起動指示部２２からの指示をトリガとして起動を開始する。
【００３１】
情報処理装置起動完了確認部１２は、情報処理装置１の起動完了を確認すると、その旨を入力装置２に通知する。情報処理装置１の起動完了とは、具体的にはＯＳの起動完了で良い。
【００３２】
データ解析部１３は、入力装置１から送信された入力データを解析し、キーワード等に基づいて適切なアプリケーションを選択する。
【００３３】
例えば、タブレットを用いてユーザが手書き文字を入力していた場合、手書き文字は画像データとして入力され、情報処理装置１に送信される。従って、データ解析部１３により、画像データから文字データを抽出する。
【００３４】
文字データの抽出は、例えばＯＣＲ（Optical Character Reader）で用いられているような文字認識方法、すなわち、標準パターンと入力パターン（画像データ）を比較して、最も似ている標準パターンを選択して認識結果とする(パターン・マッチング)方法を適用しても良い。
【００３５】
なお、入力装置１が、キーボードのような文字データを入力するデータ入力部２３を備え、入力装置１から入力されたデータが文字データの場合は、上記のようにデータ解析部１３における文字認識は不要となる。
【００３６】
データ解析部１３は、以上のように取得した文字データに含まれるキーワードに基づいて、入力データに適したアプリケーションを選択する。
【００３７】
入力データが画像データであるが、手書き文字等の文字を含まないデータの場合は、画像データの内容を解析し、適切なアプリケーションを選択する。
【００３８】
データ解析部１３による、適切なアプリケーションの選択とは、例えば、日付や時間が抽出出来た場合は、「スケジュール」と判断し、スケジュールを管理するアプリケーションを選択する。郵便番号や県名等、住所と判断できればアドレス帳を管理するアプリケーション、メールアドレスであればメーラー、など様々考え得る。文字データであるが、特に特徴を有さない場合は、メモ帳等の一般的なテキスト・エディタ・ソフトが適切なアプリケーションと判断する。
【００３９】
図形等の画像データであれば、画像データの編集を行えるアプリケーション（グラフィックス・ソフト）を選択する。
【００４０】
適切なアプリケーションが複数競合する場合も考え得るが、競合した場合にどのアプリケーションを優先するかユーザが予め設定したり、ユーザの利用履歴に基づいて判断したり、起動を最短に行えるアプリケーションを優先したりすることが出来る。
【００４１】
アプリケーション起動部１４は、データ解析部１３で選択されたアプリケーションの起動を行う。
【００４２】
アプリケーション起動完了確認部１５は、上記選択されたアプリケーションの起動完了を確認した場合に、情報処理装置起動完了前入力データ確認部１６にその旨を通知する。
【００４３】
情報処理装置起動完了前入力データ確認部１６は、アプリケーション起動完了確認部１５から、上記選択されたアプリケーションの起動完了を確認した旨の通知を受けた場合は、起動されたアプリケーションに、情報処理装置１から送信された入力データ（情報処理装置起動完了前（起動中）入力データ）を入力し、入力を確認できた場合に、その旨を入力装置２に通知する。
【００４４】
情報処理装置起動完了前（起動中）入力データとは、情報処理装置１の起動が完了した旨を情報処理装置起動完了確認部１２から通知された入力装置２が、その時点で入力データ記憶部２５に記憶していた入力データを、情報処理装置１に送信したものである。
【００４５】
（動作処理）
図２は、本実施形態に係る入力システムの動作処理を示すタイムチャートである。
【００４６】
入力装置２が起動すると（Ａ１）、情報処理装置起動指示部２２は情報処理装置１に対して起動開始の指示を行う（Ａ２）。
【００４７】
情報処理装置１では、Ａ２の指示をトリガとして起動を開始する（Ｂ１）。情報処理装置起動完了確認部１２は、情報処理装置１の起動完了、すなわちＯＳが立ち上がったことを確認すると、その旨を入力装置２に通知する（Ｂ２）。
【００４８】
一方、入力装置２では、入力装置２の起動完了後からデータ入力が可能となっている（Ａ３）。入力されたデータは入力データ記憶部２５に記憶される。これにより、ユーザは情報処理装置１の起動完了を待たずに迅速にデータ入力を行うことが可能となる。
【００４９】
入力装置２は、情報処理装置１から情報処理装置起動完了確認の旨が通知された場合は（Ａ５／Ｙｅｓ）、入力データ記憶部２５に記憶している入力データを情報処理装置１に送信する（Ａ６）。
【００５０】
情報処理装置１は、入力装置２から入力データを受信する（Ｂ３）。
【００５１】
データ解析部１３は、受信した入力データ（文字データ若しくは画像データ）を解析し、適切なアプリケーションを選択する（Ｂ４）。
【００５２】
具体的には上述したように、文字データ若しくは画像データから抽出した文字データに含まれるキーワード等から適切なアプリケーションを選択する。
【００５３】
次に、アプリケーション起動部１４は、データ解析部１３で選択されたアプリケーションの起動を行う（Ｂ５）。
【００５４】
そして、アプリケーション起動完了確認部１５は、上記選択されたアプリケーションの起動完了を確認する（Ｂ６）。確認できた場合には、情報処理装置起動完了前入力データ確認部１６にその旨を通知する。
【００５５】
情報処理装置起動完了前入力データ確認部１６は、アプリケーション起動完了確認部１５から、上記選択されたアプリケーションの起動完了を確認した旨の通知を受けた場合は、情報処理装置１から受信した入力データ（情報処理装置起動完了前入力データ）を、起動されたアプリケーションに入力する（Ｂ７）。受信した入力データを全て入力できたことを確認した場合は、その旨を入力装置２に通知する。
【００５６】
入力装置２は、情報処理装置１において起動したアプリケーションにＡ６で送信した入力データを入力した旨の通知を情報処理装置１から受信すると、入力データ出力先切替部２４により、データ入力部２３から入力されたデータの出力先を、情報処理装置１に切り替える（Ａ７）。
【００５７】
出力先切り替え以降の入力データは情報処理装置１に送られる（Ａ８）。情報処理装置１では、入力装置１から送信された入力データが画像データの場合はデータ解析部１３で文字認識を行い（Ｂ８）、文字データを抽出できた場合は、抽出した文字データを起動したアプリケーションに入力する（Ｂ９）。入力データが文字データの場合や、手書き文字画像以外の画像データの場合は、データ解析を行うことなく、起動したアプリケーションへ入力しても良い。Ａ８、Ｂ８、Ｂ９の処理は、通常行われる入力装置から情報処理装置への入力処理と同様である。
【００５８】
上記Ａ８、Ｂ８、Ｂ９を繰り返してユーザはデータ入力を行うことが出来る。
【００５９】
上記実施形態により、ユーザは、ＰＣ等の情報処理装置が起動する前でもメモ（データ入力）ができ、かつＰＣが起動完了した場合には、ＰＣ側でそのメモを扱えるアプリケーションが立ち上がるため、そのままメモを継続することが出来る。メモデータを入力するアプリケーションの起動前にもメモが出来る。
【００６０】
（他の実施形態）
上述したように、ユーザは入力装置２でデータ入力を迅速に、かつ継続して行うことが出来る。図３は、入力装置２でのデータ入力の詳細を説明するための図である。上記実施形態においては、（α）情報処理装置起動完了前入力データが、図２のＡ６で情報処理装置１に送信され、Ｂ７で入力される。その後、出力先切り替えを行っている（Ａ７）。従って、入力装置２でデータ入力が継続されている場合、図３に示す（β）情報処理装置起動完了後出力先切替前入力データの有無が問題となる。
【００６１】
例えば、出力先切り替え（Ａ７）を、情報処理装置１の起動完了後（Ａ５／Ｙｅｓ）に行い、入力データ記憶部２５に記憶されている入力データを送信する（Ａ６）と共に、その後の入力データも情報処理装置１に送信するようにしても良い。すなわち、情報処理装置１側では、Ａ６で受信した入力データを解析（Ｂ４）する一方、該受信した入力データと、その後も継続して送信される入力データとを保存し、起動したアプリケーションへデータ入力（Ｂ７）を行う際は、その時点で保存しているデータを全て入力する。
【００６２】
若しくは、入力装置１が出力先切り替え（Ａ７）を行う際に、入力データ記憶部２５に入力データが記憶されているかチェックし、記憶されている入力データがある場合は、情報処理装置１に送信する。情報処理装置１に送信した入力データ（Ａ６）は、入力データ記憶部２５から削除するようにしておくことで、チェックは容易となる。
【００６３】
また、他の実施形態として、パスワード入力、入力文字の設定（英数字、かな）、選択するアプリケーションの指定を入力装置２から行うことも考え得る。以下、詳述する。
【００６４】
〔パスワード入力〕
入力装置２において、データ入力を行う際に、パスワードを入力してから行うことで、セキュリティの向上が図れる。パスワードの承認は情報処理装置１側で行う。具体的には、図２のＢ４に示すデータ解析にて認証可能とする。認証失敗の場合はその旨を情報処理装置１上に表示し、ユーザは再度パスワードを入力することが出来る。パスワードは、生体情報をキーとしても良い。この場合、入力装置２は生体情報取得部を備える構成とする。
【００６５】
〔入力文字の設定（英数字、かな）〕
キーボード型の入力装置の場合、ユーザは文字データを入力することが出来るが、入力する文字の設定を任意に行うことも可能である。例えば、キーボードの所定のキーを押下したり、「kana」（かな文字）や「123」（英数字）等、所定の文字列を入力することで設定できる。
【００６６】
〔アプリケーションの指定〕
ユーザが利用したいアプリケーションを入力装置２から指定することも可能である。例えば、メモをとる場合は「memo」と入力装置１で入力してからデータ入力を行うと、情報処理装置１ではデータ解析部１３が、入力された「memo」から『メモ帳』（Windows（登録商標）のアクセサリに付属するテキスト・エディタ・ソフト）を選択することが容易となる。テキストを扱うアプリケーションが競合する場合（例えば、メモ帳、Ｗｏｒｄ、一太郎等）でもユーザが任意に選択することが出来る。
【００６７】
また、他の実施形態としては、入力装置２が表示部を備える構成とすることも考え得る。入力装置２は必要最低限の構成とし、消費電力も少なく、起動に時間がかからないものとすることが好ましいが、例えばキーボード型の入力装置の場合、打ち間違いがあるか否かは最低限確認できるように表示部を設けることも考え得る。タブレット型の場合、手書き文字や図形を書き込んだそのままの画像データを確認できる表示部を設けても良い。
【００６８】
（各装置のハードウェア構成）
なお、各装置のハードウェア構成を図４及び図５に示す。図４は、入力装置２のハードウェア構成を示す図である。図５は、情報処理装置１のハードウェア構成を示す図である。
【００６９】
〔入力装置２〕
入力装置２は、ＣＰＵ（Central Processing Unit）３０、Ｉ／Ｆ（Interface）３１、入力部３２、メモリ３３、がバス３４に接続され、構成されている。
【００７０】
ＣＰＵ３０は、メモリ３３と連帯して、入力装置２全体を制御する。メモリ３３には、入力装置２の制御プログラム、各種アプリケーションプログラム等が予め記憶されている。ＣＰＵ３０は、メモリ３３に記憶された制御プログラムに基づいて各機能ブロックの制御を行う。また、メモリ３３に記憶されている各種アプリケーションプログラムの起動／停止及び制御等を行う。
【００７１】
入力部３４は、入力を受け付けることが可能である。キーボードではキー押下検知機能、タブレットではポインティング検知機能（センサ）である。
【００７２】
Ｉ／Ｆ３５は、情報処理装置１と通信することが出来る。
【００７３】
〔情報処理装置１〕
情報処理装置１は、ＣＰＵ４０、Ｉ／Ｆ４１、メモリ４３、表示部４５、がバス４４に接続され、構成されている。
【００７４】
ＣＰＵ４０は、メモリ４３と連帯して、情報処理装置１全体を制御する。メモリ４３には、情報処理装置１の制御プログラム、各種アプリケーションプログラム等が予め記憶されている。ＣＰＵ４０は、メモリ４３に記憶された制御プログラムに基づいて各機能ブロックの制御を行う。また、メモリ４３に記憶されている各種アプリケーションプログラムの起動／停止及び制御等を行う。
【００７５】
Ｉ／Ｆ４５は、入力装置２と通信し、入力データを取得することが出来る。
【００７６】
なお、上述した各実施形態は、本発明の好適な実施形態であり、上記各実施形態のみに本発明の範囲を限定するものではなく、本発明の要旨を逸脱しない範囲において当業者が上記各実施形態の修正や代用を行い、種々の変更を施した形態を構築することが可能である。
【００７７】
例えば、上述した実施形態における制御動作は、ハードウェア、または、ソフトウェア、あるいは、両者の複合構成によって実行することも可能である。
【００７８】
なお、ソフトウェアによる処理を実行する場合には、処理シーケンスを記録したプログラムが格納されているＲＯＭから、専用のハードウェアに組み込まれているコンピュータ内のメモリ（ＲＡＭ）にプログラムを読み込んで実行させるか、あるいは、各種処理が実行可能な汎用コンピュータにプログラムをインストールして実行させることが可能である。
【００７９】
例えば、プログラムは、記録媒体としてのハードディスクやＲＯＭ（Read Only Memory）に予め記録しておくことが可能である。あるいは、プログラムは、フロッピー（登録商標）ディスク等の磁気ディスク、ＣＤ（Compact Disc）、ＤＶＤ（Digital Versatile Disc）等の光ディスク、ＭＯ（Magneto optical）ディスク等の光磁気ディスクなどのリムーバブル記録媒体に、一時的、あるいは、永続的に格納（記録）しておくことが可能である。
【００８０】
このようなリムーバブル記録媒体は、いわゆるパッケージソフトウエアとして提供することが可能である。
【００８１】
なお、プログラムは、上述したようなリムーバブル記録媒体からコンピュータにインストールする他、ダウンロードサイトから、コンピュータに無線転送したり、ＬＡＮ（Local Area Network）、インターネットといったネットワークを介して、コンピュータに有線で転送したりし、コンピュータでは、転送されてきたプログラムを受信し、内蔵するハードディスク等の記録媒体にインストールすることが可能である。
【００８２】
また、上記実施形態で説明した処理動作に従って時系列的に実行されるのみならず、処理を実行する装置の処理能力、あるいは、必要に応じて並列的にあるいは個別に実行するように構築することも可能である。
【００８３】
また、上記実施形態で説明したシステムは、複数の装置の論理的集合構成にしたり、各装置の機能を混在させたりするように構築することも可能である。
【符号の説明】
【００８４】
１    情報処理装置
２    入力装置
１１    情報処理装置起動部
１２    情報処理装置起動完了確認部
１３    データ解析部
１４    アプリケーション起動部
１５    アプリケーション起動完了確認部
１６    情報処理装置起動完了前入力データ確認部
２１    入力装置起動部
２２    情報処理装置起動指示部
２３    データ入力部
２４    入力データ出力先切替部
２５    入力データ記憶部
３０、４０    ＣＰＵ
３１、４１    Ｉ／Ｆ
３２    入力部
３３、４３    メモリ
３４、４４    バス
４５    表示部
【図１】
2010237938.tif 000003
【図２】
2010237938.tif 000004
【図３】
2010237938.tif 000005
【図４】
2010237938.tif 000006
【図５】
2010237938.tif 000007